(57)【要約】      （修正有）【課題】ペースト状肥料を収納する容器を提供する。【解決手段】ケーシング１は、軟質即ち柔軟性のあるケーシングである。具体的には前記ケーシング１は、プラスチック製のケーシング或はアルミ製のケーシングであり、ペースト状の肥料２の絞り出しが便利になる。前記ケーシング１の表面に模様層３を設置し、模様層３に商標或は宣伝文字等の宣伝作用を奏する標識を印刷することができる。このペースト状肥料を収納する容器は、更にカバー９を含む。前記カバー９内部は、網状のバリアチップ４により先端収容空間５及び後端接続区６に仕切られ、前記先端収容空間５内に保水剤７を設置し、前記後端接続区６が前記ケーシング１に接続される。【選択図】図１
0003189188.tif 000002
【実用新案登録請求の範囲】
【請求項１】
ケーシング（１）と、前記ケーシング（１）内に収容されるペースト状の肥料（２）とを有する
ことを特徴とするペースト状肥料を収納する容器。
【請求項２】
前記ケーシング（１）は、柔軟性のあるケーシングである
ことを特徴とする請求項1に記載のペースト状肥料を収納する容器。
【請求項３】
前記ケーシング（１）は、プラスチック製のケーシング或はアルミ製のケーシングである
ことを特徴とする請求項1に記載のペースト状肥料を収納する容器。
【請求項４】
前記ケーシング（１）の表面に、模様層（３）が設置される
ことを特徴とする請求項1に記載のペースト状肥料を収納する容器。
【請求項５】
カバー（９）を更に含み、
前記カバー（９）の内部は、網状のバリアチップ（４）により先端収容空間（５）と後端接続区（６）に仕切られ、
前記先端収容空間（５）は、保水剤を収納し、
前記後端接続区（６）は、前記ケーシング（１）に接続される
ことを特徴とする請求項1に記載のペースト状肥料を収納する容器。
【請求項６】
前記ケーシング（１）に、引裂き部（８）が形成されている
ことを特徴とする請求項1に記載のペースト状肥料を収納する容器。
【考案の詳細な説明】
【技術分野】
【０００１】
本考案は、肥料の容器に関し、特にペースト状肥料を収納する容器に関する。
【背景技術】
【０００２】
肥料は、植物が必要する栄養素を提供し、土壤の性質を改善し、土壤肥力を向上させる物質であり、農業生産の物質基礎の一つである。現在、多くの都市家庭の植物愛好者は、ベランダ或は室内に花又は野菜等の植物を栽培しており、これらの植物に栄養素を供給するために肥料を使用する。
【０００３】
現在の市場にある肥料には袋入り肥料及び瓶入り液体肥料がある。これらの袋入り肥料及び瓶入り液体肥料の包装は大きい。その為、購買者例えば都市家庭の植物愛好者が必要とする肥料の量は少ないが、大きな袋入りの肥料を購入しなければならず、使用者には不便を来たし、資源の浪費になり、使用後の余剰の肥料は、保存しにくく、肥料の臭いが漏れ、環境に悪影響を及ぼすことがあった。
【０００４】
従来の袋入り肥料及び瓶入り液体肥料は、重量及び体積が大きく、スーパーマーケットでは販売されず、日常消費財になることがなかった。
【考案の概要】
【考案が解決しようとする課題】
【０００５】
本考案の目的は、従来の技術の問題点を解決し、ペースト状肥料を収納する容器を使用し易くし、保存及び貯蔵し易く、日常消費財になり、小型化及び簡便化させるペースト状肥料を収納する容器を提供することにある。
【課題を解決するための手段】
【０００６】
本考案の目的、以下の技術案により実現する。
ケーシング及びケーシング内に収容されるペースト状の肥料それを含むペースト状肥料を収納する容器である。
好ましくは、前記ケーシングが軟質のケーシングである。
好ましくは、前記ケーシングはプラスチック製のケーシング或はアルミ製のケーシングである。
好ましくは、前記ケーシングの表面に模様層が設置されている。
好ましくは、更にカバーを含み、前記カバー内部は網状のバリアチップにより先端収容空間及び後端接続区に仕切られ、前記先端収容空間内に保水剤を設置し、前記後端接続区が前記ケーシングに接続する。
好ましくは、前記ケーシングの後端に引裂き部が設置される。
【０００７】
本考案は、従来の技術と比べて、下記のような効果がある。
本考案は、従来の肥料の袋入りではない。肥料をケーシング内に収容し、肥料の包装を小型化及び簡便化させている。  大量の肥料を購入する必要はない。この為都市家庭の植物栽培者にとって便利となり、 使用時に煉歯磨を絞り出すように必要量の肥料を絞り出すればよい。  使用後保存及び貯蔵が簡単である。また肥料の臭いが漏れることない。本考案のペースト状肥料を収納する容器は、日用品となる。各大市場・スーパーマーケットで販売可能であり、友人への贈り物とすることもできる。
【図面の簡単な説明】
【０００８】
【図１】は、本考案の構造見取図である。
【考案を実施するための形態】
【０００９】
以下、実施例を参照して本考案を詳述する。本考案の保護範囲は下記の実施例に限定されない。
【００１０】
図1を参照する。ペースト状肥料を収納する容器は、 ケーシング1である。  このケーシング1内にペースト状の肥料2が収納される。肥料は、必ずしもペースト状に限定せず、液状或は顆粒状でもよい。ケーシング1は、煉歯磨が収容される容器に類似する。ケーシング1の大きさは、肥料に量により決定される。本考案は、従来の肥料の袋入りではない。肥料をケーシング1内に収容し、肥料の包装を小型化及び簡便化させている。  大量の肥料を購入する必要はない。この為都市家庭の植物栽培者にとって便利となり、 使用時に煉歯磨を絞り出すように必要量の肥料を絞り出すればよい。  使用後保存及び貯蔵が簡単である。また肥料の臭いが漏れることない。本考案のペースト状肥料を収納する容器は、日用品となる。各大市場・スーパーマーケットで販売可能であり、友人への贈り物とすることもできる。
【００１１】
前記ケーシング1は、軟質即ち柔軟性のあるケーシングである。  具体的には前記ケーシング1は、プラスチック製のケーシング或はアルミ製のケーシングであり、ペースト状の肥料2の絞り出しが便利になる。
前記ケーシング1の表面に模様層3を設置し、模様層3に商標或は宣伝文字等の宣伝作用を奏する標識を印刷することができる。
【００１２】
このペースト状肥料を収納する容器は、更にカバー９を含む。前記カバー９内部は、網状のバリアチップ4により先端収容空間5及び後端接続区6に仕切られ、前記先端収容空間5内に保水剤7を設置し、前記後端接続区6が前記ケーシング1に接続される。本考案の容器を分解した後、先端収容空間5の保水剤7が水分を吸収し、ペースト状の肥料2に水分を補充し、ペースト状の肥料2が乾燥してブロック状になるのを防止する。具体的に、後端接続区6とケーシング1とがネジで接続され、使用後、カバーの後端接続区6をケーシング1に接続し、ペースト状の肥料2内の水分が蒸発するのを防ぐ。
前記ケーシング1の後端に引裂き部8が設置される。ペースト状の肥料2がほぼ使い果たした場合、ペースト状の肥料2がケーシング1の先端から絞り出すことが困難となる。この時に引裂き部8によりケーシング1の後端を破断して、ペースト状の肥料2はケーシング1の後端から絞り出ることができる。
前記ペースト状肥料を収納する容器の調製方法は、先ず肥料をペースト状に変調し、ペースト状の肥料2を得て、このペースト状の肥料2をケーシング1内に収容する。
【００１３】
前記ペースト状の肥料2の調製手順は、具体的に重量単位により、バイオマスコークス粉10-20部、フルボ酸カリウム80-100部、硝酸カリウム200-650部、燐酸二水素アンモニウム100-460部、尿素60-90部、海藻粉5-10部、ポリアクリルアミド0.2-1部、硫酸カルシウム2-5部、硫酸マンガン1.5-3部、硫酸第一鉄0.5-1.5部、硫酸亜鉛0.5-2部、硫酸銅0.8-1.5部、モリブデン酸アンモニウム0.5-1.5部からなる混和物に、水を140-200部で入れてペースト状に変調させて、ペースト状の肥料を得る。
生物由来の粉末の粒径が10-100ミクロメートルであり、大量の孔を含有する。この孔が、水分の保持作用を果たすだけでなく、肥料のゆっくりした放出を可能にする。この粒径の生物由来の粉末の前記の効果が比較的良い。
【００１４】
前記実施例は本考案の好適な実施方式であるが、本考案は前記実施例に制限されない。本実施例の変形例も本考案の保護範囲内に包含される。
【図面の符号】
【００１５】
1…ケーシング
2…ペースト状の肥料
3…模様層
4…網状のバリアチップ
5…先端収容空間
6…後端接続区
7…保水剤
8…引裂き部
9---カバー
【図１】
0003189188.tif 000003